(57)【要約】【課題】収納物の乾燥を防ぐことができるとともに取り扱いを容易とし、かつ、紙等と対応づけて取り扱うことができ、紙等から分離した際にその後の処理に支障をきたすことを回避する。【解決手段】フィルム基材２１ａとフィルム基材２１ｂとが互いに剥離可能に貼着された２層構造の積層フィルムからなり、フィルム基材２１ａ，２１ｂは、互いに貼着後の剥離が可能でかつ、剥離後の再貼着が不可能に貼着され、折り部２３を介して折り畳むと、フィルム基材２１ａの折り畳み状態にて内側となる面の周縁部に塗布された粘着剤２２によって袋形状となる。【選択図】図１
2007210661.tif 000002
【特許請求の範囲】
【請求項１】
互いに剥離可能な２層構造の積層フィルムからなる収納体であって、
前記積層フィルムは、
密閉可能な袋形状を形成する第１のフィルム基材と、
前記第１のフィルム基材の前記袋形状の外側となる面の少なくとも一部に剥離可能に貼着された第２のフィルム基材とを有する収納体。
【発明の詳細な説明】
【技術分野】
【０００１】
本発明は、物品を収納する収納体に関し、特に、フィルムからなる収納体に関する。
【背景技術】
【０００２】
従来より、病院等の医療機関において、病気の診療や検査等のために血液や尿等の検体を採取することが行われている。このように採取された検体は検体容器に収容され、検体の検査を行う検査機関に送られ、検査機関にて検体の検査が行われることになる。また、近年においては、検体として唾液を用いた検査も考えられている。
【０００３】
このように採取された検体は、検体容器に収容されて検査機関に送られることになるが、検体の数が多い場合、その数分の検体容器が検査機関に送られることとなり、嵩張ってしまい取り扱いが困難となってしまう。
【０００４】
ここで、２枚のフィルムに物品を挟み込んでその一部をシールすることにより物品を包装する包装体が考えられている（例えば、特許文献１参照。）。この包装体に検体を収納して検査機関に送れば、検体の数が多い場合であっても嵩張らす、また、検体が２枚のフィルムに挟み込まれているため、検体が乾燥してしまうことを防止できる。
【特許文献１】特開２００２−１５４５７７号公報
【発明の開示】
【発明が解決しようとする課題】
【０００５】
一般的に、上述したような検体は検査依頼書とともに検査機関に送られることになるため、検査依頼書と検体とを確実に対応づけて管理しておく必要がある。そこで、上述したようなフィルムからなる包装体に検体を収納した場合、検体を収納した包装体を検査依頼書に貼付しておけば、検査依頼書と検体とを確実に対応づけて管理することができる。
【０００６】
ところが、検体を収納した包装体を検査依頼書に貼付した場合、包装体を検査依頼書から剥離する際に検査依頼書が破れてしまうとともに、検査依頼書の破れた部分が包装体に付着してしまい、後の処理に支障をきたしてしまう虞れがある。また、このようなことを回避するために、検体を収納した包装体を検査依頼書に剥離可能に貼付することが考えられるが、その場合、包装体を検査依頼書から剥離した際に包装体及び検査依頼書の貼付部分がべたついてしまい、同様に、後の処理に支障をきたしてしまう虞れがある。
【０００７】
本発明は、上述したような従来の技術が有する問題点に鑑みてなされたものであって、収納物の乾燥を防ぐことができるとともに取り扱いを容易とし、かつ、紙等と対応づけて取り扱うことができ、紙等から分離した際にその後の処理に支障をきたすことがない収納体を提供することを目的とする。
【課題を解決するための手段】
【０００８】
上記目的を達成するために本発明は、
互いに剥離可能な２層構造の積層フィルムからなる収納体であって、
前記積層フィルムは、
密閉可能な袋形状を形成する第１のフィルム基材と、
前記第１のフィルム基材の前記袋形状の外側となる面の少なくとも一部に剥離可能に貼着された第２のフィルム基材とを有する。
【０００９】
上記のように構成された本発明においては、２層構造の積層フィルムの第２のフィルム基材を、収納する収納物と対応づける紙等に貼付しておく。収納物を収納する場合は、第１のフィルム基材によって形成される袋形状の中に収納物を収納し、密閉する。この状態においては、収納物が収納された領域は、第１のフィルム基材によって密封されているため、収納物が外気に触れることはなく乾燥しない。また、収納物が収納された収納体が紙等に貼付されているため、収納物と紙等とを確実に対応づけて管理することができる。その後、収納体を紙等から分離する場合は、２層構造の積層フィルムを構成する第１のフィルム基材と第２のフィルム基材とを剥離する。第２のフィルム基材は紙等に貼付されたままとなる一方、収納物が収納された第１のフィルム基材は紙等から分離する。第１のフィルム基材と第２のフィルム基材とは、互いに剥離可能な２層構造の積層フィルムであるため、剥離した場合であっても、その表面がべたついたりせず、後の処理に支障をきたすことがない。
【発明の効果】
【００１０】
以上説明したように本発明においては、互いに剥離可能な２層構造の積層フィルムから収納体を構成したため、２層構造の積層フィルムを構成する第１のフィルム基材によって形成される袋形状の中に収納物を収納し、第２のフィルム基材を収納物に対応づける紙等に貼付すれば、収納物の乾燥を防ぐことができるとともに取り扱いが容易となり、かつ、紙等と対応づけて取り扱うことができ、紙等から分離した際にその後の処理に支障をきたすことを回避できる。
【発明を実施するための最良の形態】
【００１１】
以下に、本発明の実施の形態について図面を参照して説明する。
【００１２】
（第１の実施の形態）
図１は、本発明の収納体の第１の実施の形態を示す図であり、（ａ）は折り畳み状態にて内側となる面を示す図、（ｂ）は（ａ）に示したＡ−Ａ’断面図である。
【００１３】
本形態は図１に示すように、第１のフィルム基材２１ａと第２のフィルム基材２１ｂとが互いに剥離可能に貼着された２層構造の積層フィルムからなるものであって、フィルム基材２１ａ，２１ｂは、それぞれポリエチレンやポリエステル等の合成樹脂からなり、不完全な溶着によって、互いに貼着後の剥離が可能でかつ、剥離後の再貼着が不可能に貼着されている。
【００１４】
フィルム基材２１ａ，２１ｂは、折り部２３を介して第１領域２０ａと第２領域２０ｂとが折り畳み可能に連接した形状となっており、フィルム基材２１ａの折り畳み状態にて内側となる面の周縁部に貼着後の剥離が困難な粘着剤２２が塗布されている。
【００１５】
以下に、上記のように構成された収納体２０の使用方法について、収納体２０に検体を収納して送付する場合を例に挙げて説明する。
【００１６】
図２は、図１に示した収納体２０を用いて検体を送付する形態を示す図であり、（ａ）は収納体２０が貼付された状態の検査依頼書を示す図、（ｂ）は（ａ）に示したＡ−Ａ’断面図、（ｃ）は（ａ）に示した検査依頼書１０をミシン目３０を介して折り畳んだ状態を示す図である。
【００１７】
図１に示した収納体２０は図２に示すように、収納体２０に収納される検体に対応する検査依頼書１０に貼付される。検査依頼書１０は、第１シート部１０ａと第２シート部１０ｂとが折り部となるミシン目３０を介して折り畳み可能に連接し、周縁部に沿う領域に、貼着後の剥離が可能な粘着剤４０が塗布されて構成されている。なお、第１シート部１０ａには、粘着剤４０が塗布されていない領域に、検査依頼情報を記入するための情報記入領域１１が設けられている。
【００１８】
収納体２０は、この検査依頼書１０に対して、第１領域２０ａが第１シート部１０ａに対向し、第２領域２０ｂが第２シート部１０ｂに対向するように、フィルム基材２１ｂのフィルム基材２１ａとは反対側の面に塗布された粘着剤２４によって貼付されている。また、折り部となるミシン目３０は、収納体２０のフィルム基材２１ｂまで形成されている。
【００１９】
上記のように検査依頼書１０に貼付された収納体２０に検体を収納して送付する場合は、まず、検査依頼書１０を見開いた状態において、情報記入領域１１に、検査日時や氏名、年齢、あるいは希望する検査項目等の必要事項を記入するとともに、検体となる体液を収納体２０のフィルム基材２１ａ上に滴下する。なお、体液としては、血液、尿、唾液等が考えられる。また、この際、粘着剤２２，４０が露出した状態となっているが、この状態では、粘着剤２２，４０が乾燥してしまったり、無関係な物が付着してしまったりするため、粘着剤２２，４０に剥離紙を貼着しておくことが好ましい。
【００２０】
次に、収納体２０及び情報記入領域１１が設けられた面が内側となるようにミシン目３０にて検査依頼書１０を折り畳み、粘着剤４０によって第１シート部１０ａと第２シート部１０ｂとを剥離可能に貼着する。またこの際、収納体２０においては、折り畳み状態にて内側となる面に塗布された粘着剤２２によって、フィルム基材２１ａの第１領域２０ａと第２領域２０ｂとが剥離困難に貼着され、密閉された袋形状となる。これにより、フィルム基材２１ａ上に滴下された体液は、フィルム基材２１ａ，２１ｂによって覆われた状態となる。なお、本明細書でいう剥離困難とは、人間の手によって基材を剥離した場合に、基材自体が裂かれたり厚み方向に分割されたりする程度に強接着されていることである。
【００２１】
そして、収納体２０及び情報記入領域１１が設けられた面が内側となるようにミシン目３０にて検査依頼書１０を折り畳むと、図２（ｃ）に示すように、第２シート部１０ｂに印字された宛先情報１２が表出した状態となり、検査依頼書１０はこの宛先情報１２に従って検査機関に送付されることになる。
【００２２】
この際、収納体２０が、検査依頼書１０の折り畳み状態にて内側となる面に貼付されているので、収納体２０及び収納体２０に収納された体液が外部から見られてしまうことがない。また、同様に、情報記入領域１１が第１シート部１０ａの第２シート部１０ｂとの貼着面に設けられているため、検査情報となる検査日時や被検査者の氏名、年齢、検査項目等においても検査依頼書の送付途中において外部から見られてしまうことがない。さらに、本形態においては、収納体２０に収納された体液がフィルム基材２１ａ，２１ｂによって形成された密閉状態の袋形状の中に収納されているため、収納体２０に収納された体液が外気に触れることがなく、体液が乾燥してしまうことを防ぐことができる。また、体液が収納された収納体２０が検査依頼書１０に貼付された状態となっているため、収納体２０に収納された体液と検査依頼書１０とを確実に対応づけて管理することができる。
【００２３】
検査機関においては、この検査依頼書１０が届けられると、ミシン目３０のうち、収納体２０が貼付された領域が破断され、検査依頼書１０からフィルム基材２１ａが分離される。
【００２４】
図３は、図２に示した検査依頼書１０からフィルム基材２１ａが分離される状態を説明するための断面図であり、（ａ）はミシン目３０が破断される前の状態を示す図、（ｂ）は検査依頼書１０からフィルム基材２１ａが分離した状態を示す図、（ｃ）は検査依頼書１０から分離したフィルム基材２１ａを示す図である。
【００２５】
収納体２０及び情報記入領域１１が設けられた面が内側となるようにミシン目３０を介して検査依頼書１０が折り畳まれた状態においては、図３（ａ）に示すように、フィルム基材２１ａの第１領域２０ａと第２領域２０ｂとが剥離困難に貼着され、フィルム基材２１ａ上に滴下された体液５０がフィルム基材２１ａ，２１ｂによって形成された密閉状態の袋形状の中に収納された状態となっている。
【００２６】
この状態からミシン目３０の収納体２０が貼付された領域を破断すると、図３（ｂ）に示すように、ミシン目３０によって検査依頼書１０及びフィルム基材２１ｂが破断し、さらに、検査依頼書１０の第１シート部１０ａと第２シート部１０ｂとが離れる方向に力を加えていくと、剥離可能に接着されたフィルム基材２１ａとフィルム基材２１ｂとが剥離し、フィルム基材２１ｂが粘着剤２４によって検査依頼書１０に貼付されたまま残り、また、フィルム基材２１ａが検査依頼書１０から分離する。この際、収納体２０がフィルム基材２１ａ，２１ｂが剥離可能に貼着された２層構造の積層フィルムからなるため、フィルム基材２１ａとフィルム基材２１ｂとが剥離した場合であっても、互いの貼着面がべたつくことはなく、その後、収納体２０を取り扱う際にその表面がべたつかず、処理に悪影響が及んでしまうことがない。
【００２７】
そして、検査依頼書１０から分離され、体液５０が収納されたフィルム基材２１ａが、図３（ｃ）に示すような状態で取り出される。検査依頼書１０から分離したフィルム基材２１ａに収納された体液５０は、フィルム基材２１ａによって形成される密閉状態の袋形状の中に収納されているため、フィルム基材２１ａに収納された体液５０が外気に触れることがなく、乾燥してしまうことを防ぐことができる。また、フィルム基材２１ａを透明フィルムとすれば、収納体２０が粘着剤２２によって密閉された状態であっても、体液５０が収納体２０に収納されているかどうかをフィルム基材２１ａを介して確認することができる。また、フィルム基材２１ａを遮光性を有するものとすれば、収納体２０に収納された体液５０が外光によって変化してしまうことを防止することができる。
【００２８】
また、検査依頼書１０が、第１シート部１０ａと第２シート部１０ｂとが剥離されて見開かれる。第１シート部１０ａと第２シート部１０ｂとは粘着剤４０によって剥離可能に貼着されているため、容易に剥離することができる。また、その際、検査依頼書１０に残存したフィルム基材２１ｂの表面は上述したようにべたついていないため、その後の検査依頼書１０の取り扱いに悪影響が及んでしまうことがない。
【００２９】
その後、収納体２０から体液５０が取り出され、検査依頼書１０に記入された検査項目に従ってこの体液を用いて検査が行われることになる。
【００３０】
このように、収納体２０を互いに剥離可能な２層構造の積層フィルムから構成したため、２層構造の積層フィルムを構成するフィルム基材２１ａによって形成される袋形状の中に収納物を収納し、フィルム基材２１ｂを体液５０に対応づける検査依頼書１０に貼付すれば、体液５０の乾燥を防ぐことができるとともに取り扱いが容易となり、かつ、検査依頼書１０と対応づけて取り扱うことができ、検査依頼書１０から分離した際にその後の処理に支障をきたすことを回避できる。
【００３１】
（第２の実施の形態）
図４は、本発明の収納体の第２の実施の形態を示す図であり、（ａ）は折り畳み状態にて内側となる面を示す図、（ｂ）は（ａ）に示したＡ−Ａ’断面図である。
【００３２】
本形態は図４に示すように、第１のフィルム基材１２１ａと第２のフィルム基材１２１ｂとが互いに剥離可能に貼着された２層構造の積層フィルムからなるものであって、フィルム基材１２１ａ，１２１ｂは、それぞれポリエチレンやポリエステル等の合成樹脂からなり、不完全な溶着によって、互いに貼着後の剥離が可能でかつ、剥離後の再貼着が不可能に貼着されている。
【００３３】
フィルム基材１２１ａは、折り部１２３を介して第１領域１２０ａと第２領域１２０ｂとが折り畳み可能に連接した形状となっており、折り畳み状態にて内側となる面の周縁部に貼着後の剥離が困難な粘着剤１２２が塗布されている。
【００３４】
フィルム基材１２１ｂは、フィルム基材１２１ａの第１領域１２０ａの、折り畳み状態にて外側となる面に貼着されている。フィルム基材１２１ｂの第１領域１２０ａと第２領域１２０ｂとの連接方向における長さは、フィルム基材１２１ａの第１領域１２０ａの長さよりも短くなっており、それにより、第１領域１２０ａにおいてフィルム基材１２１ａがフィルム基材１２１ｂから突出する突出部１２１ｃが存在している。
【００３５】
以下に、上記のように構成された収納体１２０の使用方法について、検体を付着させた吸湿素材を収納体１２０に収納して送付する場合を例に挙げて説明する。
【００３６】
図５は、図４に示した収納体１２０を用いて吸湿素材を送付する形態を示す図であり、（ａ）は収納体１２０が貼付された状態の検査依頼書を示す図、（ｂ）は（ａ）に示したＡ−Ａ’断面図、（ｃ）は（ａ）に示した検査依頼書１１０を折り部１３０を介して折り畳んだ状態を示す図である。
【００３７】
図４に示した収納体１２０は図５に示すように、収納体１２０に収納される検体に対応する検査依頼書１１０に貼付される。検査依頼書１１０は、第１シート部１１０ａと第２シート部１１０ｂとが筋押し加工によって形成された折り部１３０を介して折り畳み可能に連接し、周縁部に沿う領域に、貼着後の剥離が可能な粘着剤１４０が塗布されて構成されている。なお、第１シート部１１０ａには、粘着剤１４０が塗布されていない領域に、検査依頼情報を記入するための情報記入領域１１１が設けられている。
【００３８】
収納体１２０は、この検査依頼書１１０に対して、第１領域１２０ａが第１シート部１１０ａに対向し、第２領域１２０ｂが第２シート部１１０ｂに対向するように、フィルム基材１２１ｂのフィルム基材１２１ａとは反対側の面に塗布された粘着剤１２４によって貼付されている。
【００３９】
上記のように検査依頼書１１０に貼付された収納体１２０に、検体が付着した吸湿素材を収納して送付する場合は、まず、検査依頼書１０を見開いた状態において、情報記入領域１１に、検査日時や氏名、年齢、あるいは希望する検査項目等の必要事項を記入するとともに、検体となる体液が付着した吸湿素材を収納体１２０のフィルム基材１２１ａ上に載置する。なお、体液としては、血液、尿、唾液等が考えられる。また、この際、粘着剤１２２，１４０が露出した状態となっているが、この状態では、粘着剤１２２，１４０が乾燥してしまったり、無関係な物が付着してしまったりするため、粘着剤１２２，１４０に剥離紙を貼着しておくことが好ましい。
【００４０】
次に、収納体１２０及び情報記入領域１１１が設けられた面が内側となるように折り部１３０にて検査依頼書１１０を折り畳み、粘着剤１４０によって第１シート部１１０ａと第２シート部１１０ｂとを剥離可能に貼着する。またこの際、収納体１２０においては、折り畳み状態にて内側となる面に塗布された粘着剤１２２によって、フィルム基材１２１ａの第１領域１２０ａと第２領域１２０ｂとが剥離困難に貼着され、密閉された袋形状となる。これにより、フィルム基材１２１ａ上に載置された吸湿素材は、フィルム基材１２１ａ，１２１ｂによって覆われた状態となる。
【００４１】
そして、収納体１２０及び情報記入領域１１１が設けられた面が内側となるように折り部１３０にて検査依頼書１１０を折り畳むと、図５（ｃ）に示すように、第２シート部１１０ｂに印字された宛先情報１１２が表出した状態となり、検査依頼書１１０はこの宛先情報１１２に従って検査機関に送付されることになる。
【００４２】
この際、収納体１２０が、検査依頼書１１０の折り畳み状態にて内側となる面に貼付されているので、収納体１２０及び収納体１２０に収納された吸湿素材が外部から見られてしまうことがない。また、同様に、情報記入領域１１１が第１シート部１１０ａの第２シート部１１０ｂとの貼着面に設けられているため、検査情報となる検査日時や被検査者の氏名、年齢、検査項目等においても検査依頼書の送付途中において外部から見られてしまうことがない。さらに、本形態においては、収納体１２０に収納された吸湿素材がフィルム基材１２１ａによって形成された密閉状態の袋形状の中に収納されているため、吸湿素材に付着した体液が外気に触れることがなく、吸湿素材に付着した体液が乾燥してしまうことを防ぐことができる。また、体液が付着した吸湿素材が収納された収納体１２０が検査依頼書１１０に貼付された状態となっているため、収納体１２０に収納された吸湿素材に付着した体液と検査依頼書１１０とを確実に対応づけて管理することができる。
【００４３】
検査機関においては、この検査依頼書１１０が届けられると、検査依頼書１１０の第１シート部１１０ａと第２シート部１１０ｂとが剥離され、検査依頼書１１０からフィルム基材１２１ａが分離される。
【００４４】
図６は、図５に示した検査依頼書１１０からフィルム基材１２１ａが分離される状態を説明するための断面図であり、（ａ）は検査依頼書１１０からフィルム基材１２１ａが分離される前の状態を示す図、（ｂ）は検査依頼書１１０からフィルム基材１２１ａが分離した状態を示す図、（ｃ）は検査依頼書１１０から分離したフィルム基材１２１ａを示す図である。
【００４５】
収納体１２０及び情報記入領域１１１が設けられた面が内側となるように折り部１３０を介して検査依頼書１１０が折り畳まれた状態においては、図６（ａ）に示すように、フィルム基材１２１ａの第１領域１２０ａと第２領域１２０ｂとが剥離困難に貼着され、フィルム基材１２１ａ上に載置された吸湿素材１５０がフィルム基材１２１ａ，１２１ｂによって覆われた状態となっている。
【００４６】
この状態において、まず、検査依頼書１１０の第１シート部１１０ａと第２シート部１１０ｂとを剥離する。第１シート部１１０ａと第２シート部１１０ｂとは、貼着後の剥離が可能な粘着剤１４０によって貼着されているため、容易に剥離することができる。
【００４７】
その後、２層のフィルム基材１２１ａ，１２１ｂを剥離する。すると、フィルム基材１２１ｂが粘着剤１２４によって検査依頼書１１０に貼付されたまま残り、また、フィルム基材１２１ａが検査依頼書１１０から分離する。この際、収納体１２０がフィルム基材１２１ａ，１２１ｂが剥離可能に貼着された２層構造の積層フィルムからなるため、フィルム基材１２１ａとフィルム基材１２１ｂとが剥離した場合であっても、互いの貼着面がべたつくことはなく、その後、収納体１２０を取り扱う際にその表面がべたつかず、処理に悪影響が及んでしまうことがない。また、２層のフィルム基材１２１ａ，１２１ｂを剥離する際、フィルム基材１２１ａの突出部１２１ｃを摘み部として容易に剥離することができる。
【００４８】
そして、検査依頼書１１０から分離し、体液が付着した吸湿素材１５０が収納されたフィルム基材１２１ａが、図６（ｃ）に示すような状態で取り出される。検査依頼書１１０から分離したフィルム基材１２１ａに収納された吸湿素材１５０は、フィルム基材１２１ａによって形成される密閉状態の袋形状の中に収納されているため、吸湿素材１５０に付着した体液が外気に触れることがなく、吸湿素材１５０に付着した体液が乾燥してしまうことを防ぐことができる。また、フィルム基材１２１ａを透明フィルムとすれば、収納体１２０が粘着剤１２２によって密閉された状態であっても、袋形状となったフィルム基材１２１ａの中に吸湿素材１５０が収納されていることをフィルム基材１２１ａを介して確認することができる。また、フィルム基材１２１ａを遮光性を有するものとすれば、収納体１２０に収納された吸湿素材１５０に付着した体液が外光によって変化してしまうことを防止することができる。
【００４９】
また、検査依頼書１１０においても、検査依頼書１１０に残存したフィルム基材１２１ｂの表面は上述したようにべたついていないため、その後の検査依頼書１１０の取り扱いに悪影響が及んでしまうことがない。
【００５０】
その後、収納体１２０から吸湿素材１５０が取り出され、検査依頼書１１０に記入された検査項目に従ってこの吸湿素材１５０及び吸湿素材１５０に付着した体液を用いて検査が行われることになる。
【００５１】
なお、上述した２つの実施の形態においては、フィルム基材２１ａ，１２１ａの周縁部に沿う領域に粘着剤２２，１２２が塗布されているが、フィルム基材２１ａ，１２１ａの第１領域２０ａ，１２０ａ及び第２領域２０ｂ，１２０ｂのうち一方のみに粘着剤２２，１２２が塗布された構成であってもよい。
【００５２】
また、上述した２つの実施の形態においては、フィルム基材２１ａ，２１ｂ，１２１ａが折り部３０，１３０を介して連接し、折り部３０，１３０を介して折り畳まれることにより袋形状を形成するものを例に挙げて説明したが、検査依頼書１０，１１０の第１シート部１０ａ，１１０ａと第２シート部１０ｂ，１１０ｂのそれぞれに同様に２層のフィルム基材を設け、その周縁部に塗布した粘着剤によって袋形状を形成することも考えられる。
【００５３】
また、収納体２０，１２０に収納する収納物としては、上述したような検体に限らず、検査反応を発色によって確認する方法や、培養させて成分量を計測する方法、またはスクリーニングにより成分の抽出を行う等定量化する方法等により検査するものであればいかなるものでもかまわない。また、そのような検体に限らず、例えば、アレルギー検査を行うための食品等も利用することができる。
【図面の簡単な説明】
【００５４】
【図１】本発明の収納体の第１の実施の形態を示す図であり、（ａ）は折り畳み状態にて内側となる面を示す図、（ｂ）は（ａ）に示したＡ−Ａ’断面図である。
【図２】図１に示した収納体を用いて検体を送付する形態を示す図であり、（ａ）は収納体が貼付された状態の検査依頼書を示す図、（ｂ）は（ａ）に示したＡ−Ａ’断面図、（ｃ）は（ａ）に示した検査依頼書をミシン目を介して折り畳んだ状態を示す図である。
【図３】図２に示した検査依頼書からフィルム基材が分離される状態を説明するための断面図であり、（ａ）はミシン目が破断される前の状態を示す図、（ｂ）は検査依頼書からフィルム基材が分離した状態を示す図、（ｃ）は検査依頼書から分離したフィルム基材を示す図である。
【図４】本発明の収納体の第２の実施の形態を示す図であり、（ａ）は折り畳み状態にて内側となる面を示す図、（ｂ）は（ａ）に示したＡ−Ａ’断面図である。
【図５】図４に示した収納体を用いて吸湿素材を送付する形態を示す図であり、（ａ）は収納体が貼付された状態の検査依頼書を示す図、（ｂ）は（ａ）に示したＡ−Ａ’断面図、（ｃ）は（ａ）に示した検査依頼書を折り部を介して折り畳んだ状態を示す図である。
【図６】図５に示した検査依頼書からフィルム基材が分離される状態を説明するための断面図であり、（ａ）は検査依頼書からフィルム基材が分離される前の状態を示す図、（ｂ）は検査依頼書からフィルム基材が分離した状態を示す図、（ｃ）は検査依頼書から分離したフィルム基材を示す図である。
【符号の説明】
【００５５】
１０，１１０    検査依頼書
１０ａ，１１０ａ    第１シート部
１０ｂ，１１０ｂ    第２シート部
１１，１１１    情報記入領域
１２，１１２    宛先情報
２０，１２０    収納体
２０ａ，１２０ａ    第１領域
２０ｂ，１２０ｂ    第２領域
２１ａ，２１ｂ，１２１ａ，１２１ｂ    フィルム基材
２２，２４，４０，１２２，１２４，１４０    粘着剤
２３，１２３，１３０    折り部
３０    ミシン目
５０    体液
１２１ｃ    突出部
１５０    吸湿素材
【図１】
2007210661.tif 000003
【図２】
2007210661.tif 000004
【図３】
2007210661.tif 000005
【図４】
2007210661.tif 000006
【図５】
2007210661.tif 000007
【図６】
2007210661.tif 000008